(57)【要約】【目的】本発明は通気性を有し、断熱性に優れた屋根下地構造を簡単かつ安価に構築することを課題とする。【解決手段】プラスチック発泡体からなる断熱主板３Ａの複数枚を垂木巾を介して配置し、該断熱主板３Ａ相互をプラスチック発泡体からなる細長の断熱連結板３Ｂを上側から貼着することによって連結し、該連結部分を垂木嵌合部５とした断熱材３の複数枚を野地面材２の下面に該断熱連結板３Ｂを介して接着し、該野地面材２と該断熱主板３Ａとの間において、該該断熱連結板３Ｂ相互の間には該断熱連結板３Ｂの厚み分の通気路４を形成することによって、屋根下地構造の通気性を確保する。【選択図】      図４
2007247361.tif 000002
【特許請求の範囲】
【請求項１】
プラスチック発泡体からなる断熱主板の複数枚を垂木巾を介して配置し、該断熱主板相互をプラスチック発泡体からなる細長の断熱連結板を上側から貼着することによって連結し、該連結部分を垂木嵌合部とした断熱材の複数枚を野地面材の下面に該断熱連結板を介して接着し、該野地面材と該断熱主板との間において、該断熱連結板相互の間には該断熱連結板の厚み分の通気路を形成したことを特徴とする屋根パネル。
【請求項２】
該断熱主板と該断熱連結板とは同等の断熱性能を有する請求項１に記載の屋根パネル。
【請求項３】
上記プラスチック発泡体は上下両面にプラスチックフィルムが貼着されているウレタン樹脂発泡体またはフェノール樹脂発泡体である請求項１または２に記載の屋根パネル。
【請求項４】
請求項１または２または３に記載の屋根パネルを屋根骨格の垂木上に被着し、該垂木を該屋根パネルの断熱材の垂木嵌合溝に嵌合し、軒先と棟部とにおいて該屋根パネルの通気路を外気に開放したことを特徴とする通気性屋根下地構造。
【請求項５】
少なくとも該屋根パネル相互の接続部において、該屋根パネルの断熱材と垂木との接合面にはシール材が介在している請求項４に記載の通気性屋根下地構造。
【請求項６】
該垂木上に被着された屋根パネルの断熱材の下面は軒先部において壁断熱材の上端に当接させ、該屋根パネルの断熱材の下面と壁断熱材の上端との間に形成される隙間にはシール材を充填し、棟部にあっては左右の屋根パネルの隙間には該屋根パネルの通気路を閉塞しないようにしてシール材を充填した請求項４または５に記載の通気性屋根下地構造。
【請求項７】
該シール材は軟質プラスチック発泡体からなる断熱性シール材である請求項５または６に記載の通気性屋根下地構造。
【請求項８】
構築される屋根に寄棟部または本谷部が存在する場合、この部分で対向する左右の屋根パネルを隅木または谷木を介して対向させ、該断熱材の断熱主板上面を隅木または谷木の左右天面とを一致せしめて隅木または谷木よって該断熱材の通気路が閉塞されないようにし、寄棟部にあっては該左右の断熱材の間に横通気路を設けて該横通気路を該屋根パネルの通気路に連通せしめた請求項４〜７のいづれか１項に記載の通気性屋根下地構造。
【請求項９】
該断熱材の断熱主板の端面は隅木または谷木の側面にシール材を介して隙間のないようにして接合せしめた請求項８に記載の通気性屋根下地構造。
【発明の詳細な説明】
【技術分野】
【０００１】
本発明は屋根パネルおよび該屋根パネルを使用した通気性屋根下地構造に関するものである。
【背景技術】
【０００２】
従来の通気性屋根下地構造としては、図１２に示すように、下側野地面材(22)の上面に所定間隔をおいて胴縁(24)を固定し、該胴縁(24)間に断熱材(23)を挿入し、該胴縁(24)を該断熱材(23)上面から突出させた屋根下地パネル(21)を垂木(26)上に固定し、該屋根下地パネル(21)の胴縁(24)の上側に上側野地面材(25)を張設する構造が提供されている（例えば特許文献１参照）。
【特許文献１】特許第３６５７９３５号公報
【発明の開示】
【発明が解決しようとする課題】
【０００３】
上記従来の通気性屋根下地構造にあっては、胴縁(24)がスペーサーとなって断熱材(23)と上側野地面材(25)との間に間隙(27)を設けられており、該間隙(27)によって通気性が付与される。しかしこの構造では胴縁(24)の個所で断熱材(23)が途切れて断熱欠損部となるし、野地面材が上側と下側とに必要であり、また胴縁も必要であるので、部材点数が多くなり、材料費も高くなるし構築にも手間がかゝると云う問題点がある。また屋根の厚さも厚くなるため建物の意匠性にも劣ると云う問題点がある。
【課題を解決するための手段】
【０００４】
本発明は上記従来の課題を解決するための手段として、プラスチック発泡体からなる断熱主板(3A)の複数枚を垂木巾を介して配置し、該断熱主板(3A)相互をプラスチック発泡体からなる細長の断熱連結板(3B)を上側から貼着することによって連結し、該連結部分を垂木嵌合部(5) とした断熱材(3) の複数枚を野地面材(2) の下面に該断熱連結板(3B)を介して接着し、該野地面材(2) と該断熱主板(3A)との間において、該断熱連結板(3B)相互の間には該断熱連結板(3B)の厚み分の通気路(4) を形成した屋根パネル(1) を提供するものである。
該断熱主板(3A)と断熱連結板(3B)とは同等の断熱性能を有することが望ましい。
本発明では、上記プラスチック発泡体として上下両面にプラスチックフィルムが貼着されているウレタン樹脂発泡体またはフェノール樹脂発泡体が使用出来る。
更に本発明では上記屋根パネル(1) を屋根骨格の垂木(6) 上に被着し、該垂木(6) を該屋根パネル(1) の断熱材(3) の垂木嵌合溝(5,5A)に嵌合し、軒先と棟部とにおいて該屋根パネル(1) の通気路(4) を外気に開放した通気性屋根下地構造が提供される。
更に上記通気性屋根下地構造にあっては、少なくとも該屋根パネル(1,1) 相互の接続部において、該屋根パネル(1,1) の断熱材(3,3) と垂木(6) との接合面にはシール材(8) が介在していることが望ましく、また該垂木(6) 上に被着された屋根パネル(1) の断熱材(3) の下面は軒先部において壁断熱材(20)の上端に当接させ、該屋根パネル(1) の断熱材(3) の下面と壁断熱材(20)の上端との間に形成される隙間にはシール材(9) を充填し、棟部にあっては左右の屋根パネル(1,1) の隙間には該屋根パネル(1,1) の通気路(4,4) を閉塞しないようにしてシール材(10)を充填することが望ましい。そして該シール材(10)は軟質プラスチック発泡体からなる断熱性シール材であることが望ましく、また構築される屋根(17)に寄棟部(17A) または本谷部(17C) が存在する場合、この部分で対向する左右の屋根パネル(1,1) を隅木(18)または谷木(19)を介して対向させ、該断熱材(3,3) の断熱主板上面を隅木(18)または谷木(19)の左右天面とを一致せしめて隅木(18)または谷木(19)によって該断熱材(3,3) の通気路(4,4) が閉塞されないようにし、寄棟部(17A) にあっては該左右の断熱材(3,3) の間に横通気路を設けて該横通気路を該屋根パネル(1,1) の通気路(4,4) に連通せしめたことが望ましく、また更に該断熱材(3) の断熱主板(3A)の端面は隅木(18)または谷木(19)の側面にシール材(10)を介して隙間のないようにして接合せしめたことが望ましい。
【発明の効果】
【０００５】
〔作用〕
上記屋根パネル(1) を使用した通気性屋根下地構造にあっては、垂木(6) の上に断熱材(3) の断熱連結板(3B)が存在するから、断熱欠損部が存在せず、また屋根パネル(1) の野地面材(2) と断熱材(3) の断熱主板(3A)との間において、該断熱連結板(3B)相互の間に通気路(4) が設けられており、この通気路(4) が軒先と棟部とにおいて外気に開放されているので、屋根の厚さを厚くすることなく屋根の通気性が確保される。そして該断熱材(3) の断熱連結板(3B)は屋根パネル(1) の垂木嵌合溝(5,5A)の上側に配置されているので、屋根には垂木による断熱欠損部が存在しなくなり、外断熱構造となる。
【０００６】
少なくとも該屋根パネル(1,1) 相互の接続部において、該屋根パネル(1,1) の断熱材(3,3) と垂木(6,6) との接合面にはシール材(8) を介在させれば、屋根下地構造の気密性が確保される。更に垂木(6) 上に被着された屋根パネル(1) の断熱材(3) の下面は軒先部において壁断熱材(20)の上端に当接させ、該屋根パネル(1) の断熱材(3) の下面と壁断熱材(20)の上端との間に形成される隙間にはシール材(9) を充填し、棟部にあっては左右の屋根パネル(1,1) の隙間には該屋根パネル(1,1) の通気路(4,4) を閉塞しないようにしてシール材(10)を充填すると、屋根下地構造の気密性が確保されるが、該シール材(10)を軟質プラスチック発泡体からなる断熱性シール材とすれば、連続した断熱構造を有する屋根下地構造となり、屋根(17)の断熱性が向上する。構築される屋根(17)に寄棟部(17A) または本谷部(17C) が存在する場合、この部分で対向する左右の屋根パネル(1,1) を隅木(18)または谷木(19)を介して対向させ、該断熱材(3,3) の断面主板上面を隅木(18)または谷木(19)の左右天面とを一致せしめて隅木(18)または谷木(19)によって該断熱材(3,3) の通気路(4,4) が閉塞されないように、寄棟部(17A) にあっては該左右の断熱材(3,3) の間に横通気路を設けて断熱性と通気性とを確保する。
本発明の断熱材(3) の断熱主板(3A)と断熱連結板(3B)はいづれもプラスチック発泡体板を切断加工することによって製造され、切削加工が必要とされないので、切削加工が困難な上下両面にプラスチックフィルムが貼着されているウレタン樹脂発泡体やフェノール樹脂発泡体でも材料として適用することが出来る。
【０００７】
〔効果〕
本発明あっては、屋根の通気性が確保され、かつ屋根に断熱欠損部がなくなるので、断熱性が大巾に向上する。
【発明を実施するための最良の形態】
【０００８】
本発明を図１〜図１１に示す一実施例によって以下に説明する。屋根パネル(1) は野地面材(2) と、該野地面材(2) の下面に接着剤によって接着されている断熱材(3) とからなる。該断熱材(3) はポリスチレン発泡体、ポリエチレン発泡体、ポリプロピレン発泡体、半硬質ポリウレタン発泡体、上下両面にプラスチックフィルムが貼着されている半硬質ポリウレタン発泡体あるいはフェノール樹脂発泡体、メラミン樹脂発泡体等のプラスチック発泡体を材料とし、複数枚の断熱主板(3A)と隣接する一対の断熱主板(3A)間を連結する細長の断熱連結板(3B)とからなり、該一対の断熱主板(3A)間には垂木嵌合溝(5) を形成され、該断熱連結板(3B)は一対の断熱主板(3A)の隣接部分に上側から貼着され、該断熱材(3) は該断熱連結板(3B)を介して該野地面材(2) に接着され、かくして該野地面材(2) と該断熱材(3) の断熱主板(3A)との間には、該断熱連結板(3B)の厚み分の通気路(4) 該形成されている。そして該屋根パネル(1) の両端においては、該断熱材(3) の断熱連結板(3B)と野地面材(2) とを共に断熱主板(3A)から延出せしめ、該延出部分(3C)の下側と両端の垂木嵌合溝(5A)とする。上記両端の嵌合溝(5A)の巾はその他の嵌合溝(5) の巾の１／２に設定する。    
【０００９】
図３に示すように該屋根パネル(1) は屋根骨格の垂木(6) 上に被着され、該垂木(6) を該屋根パネル(1) の断熱材(3) の垂木嵌合溝(5,5A)に嵌合する。この状態で該断熱材(3) の断熱連結板(3B)が該垂木(6) の上側を覆い、垂木による断熱欠陥部を解消する。断熱効率を高めるために該断熱連結板(3B)の厚みは２０ｍｍ以上とすることが望ましい。
【００１０】
図４に示すように該垂木(6) は下側において軒桁(7A)、母屋(7B)、棟木(7C)によって支持されている。そして該屋根パネル(1) の横方向の相互接続部においては、図３に示すように該断熱材(3) の断熱主板(3A)と垂木(6) との間にシール材(8) を介在させて気密性を確保している。
【００１１】
更に軒先部にあっては該屋根パネル(1) の通気路(4) 軒先側端は外気に開放されており、また該断熱材(3) の断熱主板(3A)の下面は壁断熱材(20)の上端と当接しており、該屋根パネル(1) の断熱材(3) の断熱主板(3A)の下面と該壁断熱材(20)の上端との間に形成されている隙間には軟質ポリウレタン発泡体、軟質ポリ塩化ビニル発泡体、合成ゴムスポンジ等の軟質プラスチック発泡体からなる断熱性シール材(9) を充填し、屋根の断熱材(3) と壁断熱材(20)との接合部において、断熱構造の連続性が断たれることを防止している。更に棟部にあっても左右の屋根パネル(1,1) の接合部の隙間にも、同様な断熱性シール材(10)が充填されて断熱構造の連続性が断たれることを防止しているが、該断熱性シール材(10)は該屋根パネル(1) の通気路(4) を閉塞しないように該屋根パネル(1) の断熱材(3) の断熱主板(3A)間に充填され、棟に沿って左右の屋根パネル(1,1) 間に形成される横通気路(11)に該屋根パネル(1,1) の各通気路(4,4) の棟側端が開放されるように設定されている。
【００１２】
図５に示すように、該屋根パネル(1) の野地面材(2) の上面には、屋根材(12)が葺設される。そして棟部にあっては笠木(13,13) を介して水切り板(14)が被覆されている。そして棟部所定個所には図６および図７に示すような棟換気部材(16)が被着されており、屋根(17)の該横通気路(11)が該棟換気部材(16)を介して外気に開放されるように設定されている。該棟換気部材(16)はポリプロピレン、ポリ塩化ビニル等のプラスチックを材料とし、笠形水切り板(16A) と、該水切り板(16A) の下面両側に接着される通気性ブロック(16B) とからなり、該通気性ブロック(16B) には例えばハニカム状に多数の連通孔が設けられている。
【００１３】
上記屋根(17)にあっては、軒先側の換気は屋根パネル(1) の通気路(4) の軒先端が直接外気に開放していることによって行なわれ、棟側換気は屋根パネル(1) の通気路(4) が横通気路(11)に開放され、該横通気路(11)が該棟換気部材(16)を介して外気に開放されることによって行なわれる。
【００１４】
屋根(17)には図８に示すように両端が内側に傾斜している寄棟部(17A) が形成される場合がある。この場合には図９に示すように寄棟部(17A) において左右の屋根パネル(1,1) の断熱材(3) の連結断熱板(3B)の断熱主板(3A)から寄棟側に延出した部分を隅木(18)の左右天端面に懸架した状態とする。この際左右の屋根パネル(1,1) の断熱材(3) の断熱主板(3A)の上面即ち垂木(6) の上面と該隅木(18)の左右天端面とを一致させ該通気路(4,4) が該隅木(18)によって閉塞されないようにし、かつ左右の屋根パネル(1,1) の野地面材(2,2) および断熱材(3) の連結断熱板(3B)の延出端が間隙を介して相対するように設定し、寄棟部(17A) に該屋根パネル(1) の連通路(4) が連通する横通気路(11A) を設ける。なお隅木(18)側面には、その両側の屋根パネル(1,1) の断熱材(3,3) の断熱主板(3A)の端面を密接させ、更に該断熱主板(3A)の接合部下端は断熱性シール材(10A) によってシールして、気密性を確保する。そして該寄棟部(17A) は棟部と同様に笠木(13,13) を介して水切り板(14)が被覆されている。
【００１５】
更に図１０に示すように中央から直角に屋根(17B) が分岐した構造のものがある。この場合には屋根(17)と分岐屋根(17B) との間に本谷部(17C) が形成される。この場合においても図１１に示すように左右の屋根パネル(1,1) の断熱材(3,3) の断熱主板(3A)の間に谷木(19)が嵌合された状態とし、該断熱主板(3A)の上面即ち垂木(6) の上面と谷木(19)の左右天端面とを一致させる。その際左右の屋根パネル(1,1) の野地面材(2) と断熱材(3) の連結断熱板(3B)の延出端は付合わせ状態とし、その上から逆笠形の水切り板(14A) を被着する。なお谷木(19)側面には、その両側の屋根パネル(1,1) の断熱材(3) の端面を密接させ、更に該断熱主板(3A)の接合部下端は断熱シール材(10B) によってシールして、気密性を確保する。
【産業上の利用可能性】
【００１６】
本発明においては、屋根下地構造に断熱欠損部が存在しなくなって屋根断熱効果が向上し、そして胴縁や野地面板をもう一枚必要とすることなく、少ない部材で効率良く屋根の換気を図ることが出来るから、産業上利用可能である。
【図面の簡単な説明】
【００１７】
図１〜図１１は本発明の一実施例を示すものである。
【図１】断熱材および野地面材の部分斜視図
【図２】屋根パネルの横断面図
【図３】屋根パネルを屋根骨格上に被着した状態の部分横断面図
【図４】屋根パネルを屋根骨格上に被着した状態の部分縦断面図
【図５】棟部の横断面図（水切り板取付け部分）
【図６】棟部の横横断面図（棟換気部材取付け部分）
【図７】棟換気部材の正面図
【図８】寄棟部を有する屋根の説明図
【図９】図８におけるＡ−Ａ断面図
【図１０】本谷部を有する屋根の説明図
【図１１】図９におけるＢ−Ｂ断面図
【図１２】従来例の屋根パネルを屋根上に被着した状態の部分横断面図
【符号の説明】
【００１８】
1       屋根パネル
2       野地面材
3       断熱材
3A      断熱主板
3B      断熱連結板
4       通気路
5,5A    垂木嵌合溝（部）
6       垂木
8,9,10  シール材
17      屋根
18      隅木
19      谷木
20      壁断熱材
【図１】
2007247361.tif 000003
【図２】
2007247361.tif 000004
【図３】
2007247361.tif 000005
【図４】
2007247361.tif 000006
【図５】
2007247361.tif 000007
【図６】
2007247361.tif 000008
【図７】
2007247361.tif 000009
【図８】
2007247361.tif 000010
【図９】
2007247361.tif 000011
【図１０】
2007247361.tif 000012
【図１１】
2007247361.tif 000013
【図１２】
2007247361.tif 000014